【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
先端部にノズル部を備える外筒と、前記ノズル部を封止する封止部材と、前記外筒内に摺動可能に収納されたガスケットと、該ガスケットの後端に取り付けられたもしくは取付可能な押子とを備えるシリンジ本体と、前記外筒と前記封止部材と前記ガスケットとで形成された室内に充填された薬液とを備えるプレフィルドシリンジであって、
前記ガスケットは、前記外筒の後端より所定距離先端側に位置するとともに、前記プレフィルドシリンジは、前記シリンジ本体の薬剤収納容量より少ない薬液を収納しており、さらに、前記外筒は、前記ガスケット配置位置より、該外筒の先端側となる部分の側面に設けられ、少なくとも目盛り表示を含む第１表示部と、前記ガスケット配置位置より前記外筒の基端側となる部分の側面に設けられ、薬液非充填領域であることを示し、かつ前記第１表示部と識別可能な第２表示部を有することを特徴とするプレフィルドシリンジ。
【請求項２】
前記プレフィルドシリンジは、前記シリンジ本体の薬剤収納容量の２０％〜８０％の薬液を収納している請求項１に記載のプレフィルドシリンジ。
【請求項３】
前記第２表示部は、目盛表示を持たないもしくは第２表示部の先端部分にのみ目盛表示を持つものである請求項１または２に記載のプレフィルドシリンジ。
【請求項４】
前記第１表示部には、薬液収納量および／または薬液名が表示されている請求項１ないし３のいずれかに記載のプレフィルドシリンジ。
【請求項５】
前記第２表示部には、薬液収納量および／または薬液名が表示されている請求項１ないし３のいずれかに記載のプレフィルドシリンジ。
【請求項６】
前記第２表示部は、ほぼ全体にわたり色彩が施されている請求項１ないし５のいずれかに記載のプレフィルドシリンジ。
【請求項７】
前記第２表示部は、ほぼ全体にわたり模様が施されている請求項１ないし６のいずれかに記載のプレフィルドシリンジ。
【請求項８】
先端部にノズル部を備える外筒と、前記ノズル部を封止する封止部材と、前記外筒内に摺動可能に収納されたガスケットと、該ガスケットの後端に取り付けられたもしくは取付可能な押子とを備えるシリンジ本体と、前記外筒と前記封止部材と前記ガスケットとで形成された室内に充填された薬液とを備えるプレフィルドシリンジであって、
前記ガスケットは、前記外筒の後端より所定距離先端側に位置するとともに、前記プレフィルドシリンジは、前記シリンジ本体の薬剤収納容量より少ない薬液を収納しており、さらに、前記外筒は、前記ガスケット配置位置より、該外筒の先端側となる部分の側面に設けられ、少なくとも目盛り表示を含む第１表示部と、前記ガスケット配置位置より前記外筒の基端側となる部分の側面に設けられ、薬液非充填領域であることを示し、かつ前記第１表示部と識別可能な第２表示部を有し、前記プレフィルドシリンジは、前記シリンジ本体の薬剤収納容量の２０％〜８０％の薬液を収納し、前記第１表示部には、薬液収納量および／または薬液名が表示され、前記第２表示部は、目盛表示を持たないもしくは第２表示部の先端部分にのみ目盛表示を持つものであることを特徴とするプレフィルドシリンジ。
【請求項９】
先端部にノズル部を備える外筒と、前記ノズル部を封止する封止部材と、前記外筒内に摺動可能に収納されたガスケットと、該ガスケットの後端に取り付けられたもしくは取付可能な押子とを備えるシリンジ本体と、前記外筒と前記封止部材と前記ガスケットとで形成された室内に充填された薬液とを備えるプレフィルドシリンジであって、
前記ガスケットは、前記外筒の後端より所定距離先端側に位置するとともに、前記プレフィルドシリンジは、前記シリンジ本体の薬剤収納容量より少ない薬液を収納しており、さらに、前記外筒は、前記ガスケット配置位置より、該外筒の先端側となる部分の側面に設けられ、少なくとも目盛り表示を含む第１表示部と、前記ガスケット配置位置より前記外筒の基端側となる部分の側面に設けられ、薬液非充填領域であることを示し、かつ前記第１表示部と識別可能な第２表示部を有し、前記プレフィルドシリンジは、前記シリンジ本体の薬剤収納容量の２０％〜８０％の薬液を収納し、前記第２表示部には、薬液収納量および／または薬液名が表示され、前記第２表示部は、目盛表示を持たないもしくは第２表示部の先端部分にのみ目盛表示を持つものであることを特徴とするプレフィルドシリンジ。
【請求項１０】
前記第２表示部は、ほぼ全体にわたり色彩が施されている請求項８または９に記載のプレフィルドシリンジ。
【請求項１１】
前記第２表示部は、ほぼ全体にわたり模様が施されている請求項８または９に記載のプレフィルドシリンジ。
【手続補正２】
【補正対象書類名】明細書
【補正対象項目名】０００４
【補正方法】変更
【補正の内容】
【０００４】
上記目的を達成するものは以下のものである。
（１）  先端部にノズル部を備える外筒と、前記ノズル部を封止する封止部材と、前記外筒内に摺動可能に収納されたガスケットと、該ガスケットの後端に取り付けられたもしくは取付可能な押子とを備えるシリンジ本体と、前記外筒と前記封止部材と前記ガスケットとで形成された室内に充填された薬液とを備えるプレフィルドシリンジであって、
前記ガスケットは、前記外筒の後端より所定距離先端側に位置するとともに、前記プレフィルドシリンジは、前記シリンジ本体の薬剤収納容量より少ない薬液を収納しており、さらに、前記外筒は、前記ガスケット配置位置より、該外筒の先端側となる部分の側面に設けられ、少なくとも目盛り表示を含む第１表示部と、前記ガスケット配置位置より前記外筒の基端側となる部分の側面に設けられ、薬液非充填領域であることを示し、かつ前記第１表示部と識別可能な第２表示部を有するプレフィルドシリンジ。
（２）  前記プレフィルドシリンジは、前記シリンジ本体の薬剤収納容量の２０％〜８０％の薬液を収納している（１）に記載のプレフィルドシリンジ。
（３）  前記第２表示部は、目盛表示を持たないもしくは第２表示部の先端部分にのみ目盛表示を持つものである（１）または（２）に記載のプレフィルドシリンジ。
（４）  前記第１表示部には、薬液収納量および／または薬液名が表示されている（１）ないし（３）のいずれかに記載のプレフィルドシリンジ。
（５）  前記第２表示部には、薬液収納量および／または薬液名が表示されている（１）ないし（３）のいずれかに記載のプレフィルドシリンジ。
（６）  前記第２表示部は、ほぼ全体にわたり色彩が施されている（１）ないし（５）のいずれかに記載のプレフィルドシリンジ。
（７）  前記第２表示部は、ほぼ全体にわたり模様が施されている（１）ないし（６）のいずれかに記載のプレフィルドシリンジ。
（８）  先端部にノズル部を備える外筒と、前記ノズル部を封止する封止部材と、前記外筒内に摺動可能に収納されたガスケットと、該ガスケットの後端に取り付けられたもしくは取付可能な押子とを備えるシリンジ本体と、前記外筒と前記封止部材と前記ガスケットとで形成された室内に充填された薬液とを備えるプレフィルドシリンジであって、
前記ガスケットは、前記外筒の後端より所定距離先端側に位置するとともに、前記プレフィルドシリンジは、前記シリンジ本体の薬剤収納容量より少ない薬液を収納しており、さらに、前記外筒は、前記ガスケット配置位置より、該外筒の先端側となる部分の側面に設けられ、少なくとも目盛り表示を含む第１表示部と、前記ガスケット配置位置より前記外筒の基端側となる部分の側面に設けられ、薬液非充填領域であることを示し、かつ前記第１表示部と識別可能な第２表示部を有し、前記プレフィルドシリンジは、前記シリンジ本体の薬剤収納容量の２０％〜８０％の薬液を収納し、前記第１表示部には、薬液収納量および／または薬液名が表示され、前記第２表示部は、目盛表示を持たないもしくは第２表示部の先端部分にのみ目盛表示を持つものであるプレフィルドシリンジ。
（９）  先端部にノズル部を備える外筒と、前記ノズル部を封止する封止部材と、前記外筒内に摺動可能に収納されたガスケットと、該ガスケットの後端に取り付けられたもしくは取付可能な押子とを備えるシリンジ本体と、前記外筒と前記封止部材と前記ガスケットとで形成された室内に充填された薬液とを備えるプレフィルドシリンジであって、
前記ガスケットは、前記外筒の後端より所定距離先端側に位置するとともに、前記プレフィルドシリンジは、前記シリンジ本体の薬剤収納容量より少ない薬液を収納しており、さらに、前記外筒は、前記ガスケット配置位置より、該外筒の先端側となる部分の側面に設けられ、少なくとも目盛り表示を含む第１表示部と、前記ガスケット配置位置より前記外筒の基端側となる部分の側面に設けられ、薬液非充填領域であることを示し、かつ前記第１表示部と識別可能な第２表示部を有し、前記プレフィルドシリンジは、前記シリンジ本体の薬剤収納容量の２０％〜８０％の薬液を収納し、前記第２表示部には、薬液収納量および／または薬液名が表示され、前記第２表示部は、目盛表示を持たないもしくは第２表示部の先端部分にのみ目盛表示を持つものであるプレフィルドシリンジ。
（１０）  前記第２表示部は、ほぼ全体にわたり色彩が施されている（８）または（９）に記載のプレフィルドシリンジ。
（１１）  前記第２表示部は、ほぼ全体にわたり模様が施されている（８）または（９）に記載のプレフィルドシリンジ。